(57)【要約】【課題】  ドキュメントに対する印刷設定を容易に適切化することができる画像形成システム、画像形成装置および印刷制御プログラムを提供する。【解決手段】  ＭＦＰの印刷設定実行手段は、ドキュメントのメタ情報に印刷設定対応付け手段によって対応付けられている印刷設定をドキュメントに対して実行し（Ｓ５３）、印刷設定実行手段は、印刷設定受付手段によって受け付けられた（Ｓ５４）印刷設定をドキュメントに対して実行し（Ｓ５５）、印刷設定対応付け手段は、同一のメタ情報と組み合わされて印刷設定蓄積手段によって蓄積されている（Ｓ５６）複数の印刷設定から特定の基準によって選出した印刷設定を、メタ情報に対応付ける（Ｓ５２）ことを特徴とする。【選択図】  図６
2016005877.tif 000002
【特許請求の範囲】
【請求項１】
メタ情報を有するドキュメントに対して印刷設定を実行する印刷設定実行手段と、
前記印刷設定を受け付ける印刷設定受付手段と、
前記メタ情報に前記印刷設定を対応付ける印刷設定対応付け手段と、
前記ドキュメントが印刷される場合に前記ドキュメントの前記メタ情報および前記ドキュメントに対する前記印刷設定の組み合わせを蓄積する印刷設定蓄積手段とを備え、
前記印刷設定実行手段は、前記ドキュメントの前記メタ情報に前記印刷設定対応付け手段によって対応付けられている前記印刷設定を前記ドキュメントに対して実行し、
前記印刷設定実行手段は、前記印刷設定受付手段によって受け付けられた前記印刷設定を前記ドキュメントに対して実行し、
前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする画像形成システム。
【請求項２】
前記特定の基準は、前記複数の印刷設定のうち最も頻度が高い印刷設定であるという基準であることを特徴とする請求項１に記載の画像形成システム。
【請求項３】
前記特定の基準は、前記複数の印刷設定のうち最も頻度が高い印刷設定であって、前記複数の印刷設定のうち他の全ての印刷設定のそれぞれと比較して頻度の差が特定の程度以上の印刷設定であるという基準であることを特徴とする請求項２に記載の画像形成システム。
【請求項４】
メタ情報を有するドキュメントに対して印刷設定を実行する印刷設定実行手段と、
前記印刷設定を受け付ける印刷設定受付手段と、
前記メタ情報に前記印刷設定を対応付ける印刷設定対応付け手段と、
前記ドキュメントが印刷される場合に前記ドキュメントの前記メタ情報および前記ドキュメントに対する前記印刷設定の組み合わせを蓄積する印刷設定蓄積手段とを備え、
前記印刷設定実行手段は、前記ドキュメントの前記メタ情報に前記印刷設定対応付け手段によって対応付けられている前記印刷設定を前記ドキュメントに対して実行し、
前記印刷設定実行手段は、前記印刷設定受付手段によって受け付けられた前記印刷設定を前記ドキュメントに対して実行し、
前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする画像形成装置。
【請求項５】
メタ情報を有するドキュメントに対して印刷設定を実行する印刷設定実行手段、
前記印刷設定を受け付ける印刷設定受付手段、
前記メタ情報に前記印刷設定を対応付ける印刷設定対応付け手段、および、
前記ドキュメントが印刷される場合に前記ドキュメントの前記メタ情報および前記ドキュメントに対する前記印刷設定の組み合わせを蓄積する印刷設定蓄積手段としてコンピューターを機能させ、
前記印刷設定実行手段は、前記ドキュメントの前記メタ情報に前記印刷設定対応付け手段によって対応付けられている前記印刷設定を前記ドキュメントに対して実行し、
前記印刷設定実行手段は、前記印刷設定受付手段によって受け付けられた前記印刷設定を前記ドキュメントに対して実行し、
前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする印刷制御プログラム。
【発明の詳細な説明】
【技術分野】
【０００１】
本発明は、ドキュメントのメタ情報に対応付けられている印刷設定をドキュメントに対して実行する画像形成システム、画像形成装置および印刷制御プログラムに関する。
【背景技術】
【０００２】
従来、ドキュメントのメタ情報に対応付けられている印刷設定をドキュメントに対して実行する画像形成システムが知られている（例えば、特許文献１参照。）。特許文献１に記載された画像形成システムは、利用者がドキュメントに対する印刷設定を実行する必要性を無くすことができるので、ドキュメントを印刷するための操作性を向上することができる。
【先行技術文献】
【特許文献】
【０００３】
【特許文献１】特開２００９−６４３０９号公報
【発明の概要】
【発明が解決しようとする課題】
【０００４】
しかしながら、特許文献１に記載された画像形成システムにおいては、メタ情報および印刷設定の対応付けが変更されない限り、メタ情報および印刷設定の対応付けが固定であるので、メタ情報および印刷設定の対応付けが適切ではない場合に、ドキュメントに対する印刷設定が常に適切ではないという問題がある。
【０００５】
そこで、本発明は、ドキュメントに対する印刷設定を容易に適切化することができる画像形成システム、画像形成装置および印刷制御プログラムを提供することを目的とする。
【課題を解決するための手段】
【０００６】
本発明の画像形成システムは、メタ情報を有するドキュメントに対して印刷設定を実行する印刷設定実行手段と、前記印刷設定を受け付ける印刷設定受付手段と、前記メタ情報に前記印刷設定を対応付ける印刷設定対応付け手段と、前記ドキュメントが印刷される場合に前記ドキュメントの前記メタ情報および前記ドキュメントに対する前記印刷設定の組み合わせを蓄積する印刷設定蓄積手段とを備え、前記印刷設定実行手段は、前記ドキュメントの前記メタ情報に前記印刷設定対応付け手段によって対応付けられている前記印刷設定を前記ドキュメントに対して実行し、前記印刷設定実行手段は、前記印刷設定受付手段によって受け付けられた前記印刷設定を前記ドキュメントに対して実行し、前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする。
【０００７】
この構成により、本発明の画像形成システムは、メタ情報を有するドキュメントが印刷される場合に、印刷対象のドキュメントのメタ情報と、印刷対象のドキュメントに対する印刷設定とに基づいて、メタ情報および印刷設定の対応付けを自動的に変更することができるので、ドキュメントに対する印刷設定を容易に適切化することができる。
【０００８】
また、本発明の画像形成システムにおいて、前記特定の基準は、前記複数の印刷設定のうち最も頻度が高い印刷設定であるという基準であっても良い。
【０００９】
この構成により、本発明の画像形成システムは、適切である可能性が最も高い印刷設定をドキュメントに対して実行するので、ドキュメントに対する印刷設定を適切化することができる。
【００１０】
また、本発明の画像形成システムにおいて、前記特定の基準は、前記複数の印刷設定のうち最も頻度が高い印刷設定であって、前記複数の印刷設定のうち他の全ての印刷設定のそれぞれと比較して頻度の差が特定の程度以上の印刷設定であるという基準であっても良い。
【００１１】
この構成により、本発明の画像形成システムは、他の印刷設定との間に有意な差がある印刷設定のみをドキュメントに対して実行するので、ドキュメントに対する印刷設定を更に適切化することができる。
【００１２】
本発明の画像形成装置は、メタ情報を有するドキュメントに対して印刷設定を実行する印刷設定実行手段と、前記印刷設定を受け付ける印刷設定受付手段と、前記メタ情報に前記印刷設定を対応付ける印刷設定対応付け手段と、前記ドキュメントが印刷される場合に前記ドキュメントの前記メタ情報および前記ドキュメントに対する前記印刷設定の組み合わせを蓄積する印刷設定蓄積手段とを備え、前記印刷設定実行手段は、前記ドキュメントの前記メタ情報に前記印刷設定対応付け手段によって対応付けられている前記印刷設定を前記ドキュメントに対して実行し、前記印刷設定実行手段は、前記印刷設定受付手段によって受け付けられた前記印刷設定を前記ドキュメントに対して実行し、前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする。
【００１３】
この構成により、本発明の画像形成装置は、メタ情報を有するドキュメントが印刷される場合に、印刷対象のドキュメントのメタ情報と、印刷対象のドキュメントに対する印刷設定とに基づいて、メタ情報および印刷設定の対応付けを自動的に変更することができるので、ドキュメントに対する印刷設定を容易に適切化することができる。
【００１４】
本発明の印刷制御プログラムは、メタ情報を有するドキュメントに対して印刷設定を実行する印刷設定実行手段、前記印刷設定を受け付ける印刷設定受付手段、前記メタ情報に前記印刷設定を対応付ける印刷設定対応付け手段、および、前記ドキュメントが印刷される場合に前記ドキュメントの前記メタ情報および前記ドキュメントに対する前記印刷設定の組み合わせを蓄積する印刷設定蓄積手段としてコンピューターを機能させ、前記印刷設定実行手段は、前記ドキュメントの前記メタ情報に前記印刷設定対応付け手段によって対応付けられている前記印刷設定を前記ドキュメントに対して実行し、前記印刷設定実行手段は、前記印刷設定受付手段によって受け付けられた前記印刷設定を前記ドキュメントに対して実行し、前記印刷設定対応付け手段は、同一の前記メタ情報と組み合わされて前記印刷設定蓄積手段によって蓄積されている複数の前記印刷設定から特定の基準によって選出した印刷設定を、前記メタ情報に対応付けることを特徴とする。
【００１５】
この構成により、本発明の印刷制御プログラムは、メタ情報を有するドキュメントが印刷される場合に、印刷対象のドキュメントのメタ情報と、印刷対象のドキュメントに対する印刷設定とに基づいて、メタ情報および印刷設定の対応付けを自動的に変更することができるので、ドキュメントに対する印刷設定を容易に適切化することができる。
【発明の効果】
【００１６】
本発明の画像形成システム、画像形成装置および印刷制御プログラムは、ドキュメントに対する印刷設定を容易に適切化することができる。
【図面の簡単な説明】
【００１７】
【図１】本発明の一実施の形態に係る画像形成システムのブロック図である。
【図２】図１に示すＭＦＰのブロック図である。
【図３】図２に示す印刷設定データベースの一例を示す図である。
【図４】図１に示すサーバーのブロック図である。
【図５】図４に示すドキュメントの一例を示す図である。
【図６】ドキュメントを印刷する場合の図２に示すＭＦＰの動作のフローチャートである。
【発明を実施するための形態】
【００１８】
以下、本発明の一実施の形態について、図面を用いて説明する。
【００１９】
まず、本実施の形態に係る画像形成システムの構成について説明する。
【００２０】
図１は、本実施の形態に係る画像形成システム１０のブロック図である。
【００２１】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、ドキュメントを管理するサーバー３０とを備えている。ＭＦＰ２０と、サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２２】
図２は、ＭＦＰ２０のブロック図である。
【００２３】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像データを読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部２７と、ＭＦＰ２０全体を制御する制御部２８とを備えているコンピューターである。
【００２４】
記憶部２７は、ドキュメントの印刷を制御する印刷制御プログラム２７ａを記憶している。印刷制御プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００２５】
また、記憶部２７は、ドキュメントのメタ情報と、ドキュメントに対する印刷設定との組み合わせを蓄積する印刷設定データベース２７ｂを記憶することができる。
【００２６】
図３は、印刷設定データベース２７ｂの一例を示す図である。
【００２７】
図３に示すように、印刷設定データベース２７ｂは、ドキュメントのメタ情報と、ドキュメントに対する印刷設定との組み合わせと、各組み合わせが出現した回数とを示す情報である。例えば、図３に示す印刷設定データベース２７ｂは、「提案資料」というメタ情報と、「ステープル、パンチ、シフト、ウォーターマーク」という印刷設定との組み合わせが５０回出現しているということを示している。
【００２８】
図３において、「ステープル」とは、プリンター２４（図２参照。）が図示していないステープラーによって複数枚の印刷物を自動的に綴じることである。「パンチ」とは、プリンター２４が図示していない穴あけ機によって印刷物に穴を自動的に開けることである。「シフト」とは、複数の部数の印刷を実行する場合にプリンター２４が印刷物を部毎にずらして排出することである。「ウォーターマーク」とは、プリンター２４がドキュメントの背面に薄い画像（ウォーターマーク）を追加して印刷することである。「左上ステープル」とは、「ステープル」のうち、特に印刷物の左上を綴じることである。「ブックレット印刷」とは、プリンター２４が印刷物の中央を二つ折りにして綴じることである。
【００２９】
図２に示す制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００３０】
制御部２８は、記憶部２７に記憶されている印刷制御プログラム２７ａを実行することによって、メタ情報を有するドキュメントに対して印刷設定を実行する印刷設定実行手段２８ａ、ドキュメントに対する印刷設定を受け付ける印刷設定受付手段２８ｂ、メタ情報に印刷設定を対応付ける印刷設定対応付け手段２８ｃ、および、ドキュメントが印刷される場合にドキュメントのメタ情報およびドキュメントに対する印刷設定の組み合わせを蓄積する印刷設定蓄積手段２８ｄとして機能する。
【００３１】
図４は、サーバー３０のブロック図である。
【００３２】
図４に示すように、サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、各種のデータを記憶しているＨＤＤなどの記憶デバイスである記憶部３４と、サーバー３０全体を制御する制御部３５とを備えている。サーバー３０は、例えばＰＣ（Ｐｅｒｓｏｎａｌ  Ｃｏｍｐｕｔｅｒ）などのコンピューターによって構成されている。
【００３３】
記憶部３４は、ドキュメント３４ａを複数記憶することができる。
【００３４】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００３５】
記憶部３４に記憶されるドキュメント３４ａは、例えば、ＭＦＰ２０（図２参照。）のスキャナー２３（図２参照。）によって原稿から読み取られた画像データであっても良いし、ＭＦＰ２０の操作部２１（図２参照。）、サーバー３０の操作部３１、または、図示していないコンピューターの操作部を介して作成されたデジタルコンテンツであっても良い。
【００３６】
図５は、ドキュメント３４ａ（図４参照。）の一例を示す図である。
【００３７】
図５に示すように、ドキュメント３４ａは、ドキュメント本体３４ｂと、ドキュメント本体３４ｂに関連するメタ情報３４ｃとによって構成されている。例えば、メタ情報３４ｃには、ドキュメント本体３４ｂの名称、すなわち、ドキュメント名と、ドキュメント本体３４ｂの作成者と、ドキュメント本体３４ｂに関連するキーワード、すなわち、特徴キーワードとが含まれている。
【００３８】
特徴キーワードは、ＭＦＰ２０（図２参照。）の操作部２１（図２参照。）、サーバー３０（図４参照。）の操作部３１（図４参照。）、または、図示していないコンピューターの操作部を介して入力されても良い。
【００３９】
また、特徴キーワードは、ＯＣＲ（Ｏｐｔｉｃａｌ  Ｃｈａｒａｃｔｅｒ  Ｒｅｃｏｇｎｉｔｉｏｎ）などの文字認識技術によって、画像データなどのテキストデータでないドキュメント本体３４ｂから取得されても良いし、テキストデータであるドキュメント本体３４ｂから抽出されても良い。例えば、ドキュメント本体３４ｂにおいて最初の位置など特定の位置に配置されている単語が特徴キーワードとされても良いし、事前に決められていた単語がドキュメント本体３４ｂにおいて出現した場合にその単語が特徴キーワードとされても良いし、ドキュメント本体３４ｂにおいて強調文字で記載されている単語が特徴キーワードとされても良い。
【００４０】
次に、ＭＦＰ２０の動作について説明する。
【００４１】
利用者は、サーバー３０に記憶されているドキュメント３４ａの印刷をＭＦＰ２０の操作部２１を介してＭＦＰ２０に指示することができる。ＭＦＰ２０の制御部２８は、利用者からの指示を受けると、図６に示す動作を開始する。
【００４２】
なお、ＭＦＰ２０は、サーバー３０に記憶されているドキュメント３４ａの印刷の指示を受ける場合に、サーバー３０に記憶されている複数のドキュメント３４ａのうち印刷対象のドキュメント３４ａが指定されるとき、ドキュメント３４ａのメタ情報３４ｃとしての特徴キーワードに基づいて印刷対象のドキュメント３４ａを検索することができる。例えば、利用者は、「提案資料」という特徴キーワードがメタ情報３４ｃとして付されたドキュメント３４ａをサーバー３０に記憶されている複数のドキュメント３４ａからＭＦＰ２０に検索させ、検索結果から印刷対象のドキュメント３４ａを指定することができる。
【００４３】
図６は、ドキュメント３４ａを印刷する場合のＭＦＰ２０の動作のフローチャートである。
【００４４】
図６に示すように、印刷設定対応付け手段２８ｃは、印刷対象のドキュメント３４ａのメタ情報３４ｃとしての特徴キーワードを取得する（Ｓ５１）。
【００４５】
次いで、印刷設定対応付け手段２８ｃは、Ｓ５１において取得した特徴キーワードに対応付けられる印刷設定が存在するか否かを判断する（Ｓ５２）。
【００４６】
ここで、印刷設定対応付け手段２８ｃは、Ｓ５１において取得した特徴キーワードと組み合わされて印刷設定データベース２７ｂに蓄積されている複数の印刷設定から特定の基準によって選出した印刷設定を、Ｓ５１において取得した特徴キーワードに対応付ける。
【００４７】
例えば、特定の基準は、Ｓ５１において取得した特徴キーワードと組み合わされて印刷設定データベース２７ｂに蓄積されている複数の印刷設定のうち最も頻度が高い印刷設定であるという基準であっても良い。この基準によれば、例えば、Ｓ５１において取得した特徴キーワードが「提案資料」であって、「提案資料」と組み合わされて印刷設定データベース２７ｂに蓄積されている複数の印刷設定が図３に示す「ステープル、パンチ、シフト、ウォーターマーク」および「ステープル、パンチ、シフト」の２つである場合、印刷設定対応付け手段２８ｃは、「ステープル、パンチ、シフト、ウォーターマーク」および「ステープル、パンチ、シフト」のうち回数が多い「ステープル、パンチ、シフト、ウォーターマーク」を選出し、選出した「ステープル、パンチ、シフト、ウォーターマーク」を特徴キーワード「提案資料」に対応付ける。
【００４８】
また、特定の基準は、Ｓ５１において取得した特徴キーワードと組み合わされて印刷設定データベース２７ｂに蓄積されている複数の印刷設定のうち最も頻度が高い印刷設定であって、Ｓ５１において取得した特徴キーワードと組み合わされて印刷設定データベース２７ｂに蓄積されている複数の印刷設定のうち他の全ての印刷設定のそれぞれと比較して、頻度の差が特定の程度以上の印刷設定であるという基準であっても良い。この基準によれば、例えば、Ｓ５１において取得した特徴キーワードが「提案資料」であって、「提案資料」と組み合わされて印刷設定データベース２７ｂに蓄積されている複数の印刷設定が図３に示す「ステープル、パンチ、シフト、ウォーターマーク」および「ステープル、パンチ、シフト」の２つである場合、「ステープル、パンチ、シフト、ウォーターマーク」の回数と、「ステープル、パンチ、シフト」の回数とがほぼ同様であるので、印刷設定対応付け手段２８ｃは、「特定の程度」の設定によっては、「ステープル、パンチ、シフト、ウォーターマーク」および「ステープル、パンチ、シフト」の何れも選出せず、特徴キーワード「提案資料」に何れの印刷設定も対応付けない。
【００４９】
印刷設定実行手段２８ａは、印刷設定が存在するとＳ５２において判断されると、Ｓ５１において取得した特徴キーワードに対応付けられる印刷設定を、印刷対象のドキュメント３４ａに対して実行する（Ｓ５３）。
【００５０】
印刷設定実行手段２８ａは、印刷設定が存在しないとＳ５２において判断されるか、Ｓ５３の処理を実行すると、印刷対象のドキュメント３４ａに対する印刷設定が印刷設定受付手段２８ｂによって受け付けられたか否かを判断する（Ｓ５４）。ここで、印刷設定受付手段２８ｂは、印刷対象のドキュメント３４ａに対する印刷設定を例えば操作部２１を介して受け付けることができる。すなわち、利用者は、印刷対象のドキュメント３４ａに対する印刷設定を操作部２１を介して手動で実行することができる。
【００５１】
印刷設定実行手段２８ａは、印刷対象のドキュメント３４ａに対する印刷設定が受け付けられたとＳ５４において判断すると、印刷設定受付手段２８ｂによって受け付けられた印刷設定を、印刷対象のドキュメント３４ａに対して実行する（Ｓ５５）。例えば、印刷対象のドキュメント３４ａに対してＳ５３において印刷設定が実行された場合、Ｓ５３において実行された印刷設定は、Ｓ５５において変更されることができる。
【００５２】
印刷設定蓄積手段２８ｄは、印刷対象のドキュメント３４ａに対する印刷設定が受け付けられなかったとＳ５４において判断されるか、Ｓ５５の処理が終了すると、印刷設定データベース２７ｂを更新する（Ｓ５６）。例えば、印刷設定蓄積手段２８ｄは、印刷対象のドキュメント３４ａに対する現在の印刷設定がＳ５１において取得された特徴キーワードと組み合わされて印刷設定データベース２７ｂに蓄積されていない場合、印刷対象のドキュメント３４ａに対する現在の印刷設定を、Ｓ５１において取得された特徴キーワードと組み合わせて、回数を「１」として印刷設定データベース２７ｂに蓄積する。また、印刷設定蓄積手段２８ｄは、印刷対象のドキュメント３４ａに対する現在の印刷設定がＳ５１において取得された特徴キーワードと組み合わされて印刷設定データベース２７ｂに蓄積されている場合、印刷対象のドキュメント３４ａに対する現在の印刷設定と、Ｓ５１において取得された特徴キーワードとの組み合わせの回数を「１」増やすことによって、印刷設定データベース２７ｂに蓄積する。
【００５３】
制御部２８は、Ｓ５６の処理が終了すると、印刷対象のドキュメント３４ａを、印刷対象のドキュメント３４ａに対する現在の印刷設定でプリンター２４によって印刷して（Ｓ５７）、図６に示す動作を終了する。
【００５４】
以上に説明したように、ＭＦＰ２０は、メタ情報３４ｃを有するドキュメント３４ａが印刷される場合（Ｓ５７）に、印刷対象のドキュメント３４ａのメタ情報３４ｃと、印刷対象のドキュメント３４ａに対する印刷設定とに基づいて、メタ情報３４ｃおよび印刷設定の対応付けを自動的に変更する（Ｓ５６）ことができるので、ドキュメント３４ａに対する印刷設定を容易に適切化することができる。
【００５５】
Ｓ５２における「特定の基準」は、上述したように、Ｓ５１において取得した特徴キーワードと組み合わされて印刷設定データベース２７ｂに蓄積されている複数の印刷設定のうち最も頻度が高い印刷設定であるという基準であっても良い。この構成により、ＭＦＰ２０は、適切である可能性が最も高い印刷設定をドキュメント３４ａに対して実行する（Ｓ５２でＹＥＳおよびＳ５３）ので、ドキュメント３４ａに対する印刷設定を適切化することができる。
【００５６】
また、Ｓ５２における「特定の基準」は、上述したように、Ｓ５１において取得した特徴キーワードと組み合わされて印刷設定データベース２７ｂに蓄積されている複数の印刷設定のうち最も頻度が高い印刷設定であって、Ｓ５１において取得した特徴キーワードと組み合わされて印刷設定データベース２７ｂに蓄積されている複数の印刷設定のうち他の全ての印刷設定のそれぞれと比較して、頻度の差が特定の程度以上の印刷設定であるという基準であっても良い。この構成により、ＭＦＰ２０は、他の印刷設定との間に有意な差がある印刷設定のみをドキュメント３４ａに対して実行する（Ｓ５２でＹＥＳおよびＳ５３）ので、ドキュメント３４ａに対する印刷設定を更に適切化することができる。
【００５７】
なお、以上において、印刷設定対応付け手段２８ｃは、特徴キーワードと、印刷設定との特定の基準による対応付けをＳ５２において実行しているが、印刷設定蓄積手段２８ｄによる印刷設定データベース２７ｂの更新が実行された後であれば、更新された内容に基づいた対応付けを任意のタイミングで実行することができる。すなわち、印刷設定対応付け手段２８ｃは、Ｓ５２の処理の前に、特徴キーワードと、印刷設定との特定の基準による対応付けを実行しておいても良い。
【００５８】
図６に示す動作において、Ｓ５６の処理と、Ｓ５７の処理とは、順番が入れ替わっても良い。
【００５９】
印刷設定対応付け手段２８ｃは、以上においては、特徴キーワードに対応付ける印刷設定を印刷設定データベース２７ｂに基づいて決定するが、特徴キーワードに対応付ける印刷設定が例えば操作部２１を介して利用者によって指示された場合に、印刷設定データベース２７ｂに基づく対応付けより、利用者によって指示された対応付けを優先しても良い。
【００６０】
以上においては、ＭＦＰ２０が印刷設定実行手段２８ａ、印刷設定受付手段２８ｂ、印刷設定対応付け手段２８ｃおよび印刷設定蓄積手段２８ｄとして機能するが、印刷設定実行手段２８ａ、印刷設定受付手段２８ｂ、印刷設定対応付け手段２８ｃおよび印刷設定蓄積手段２８ｄの少なくとも一部がサーバー３０によって実現されても良い。
【００６１】
以上においては、サーバー３０にドキュメント３４ａを記憶しているが、ＭＦＰ２０の記憶部２７にドキュメントを記憶すれば、サーバー３０が無くても良い。
【００６２】
印刷設定対応付け手段２８ｃは、本実施の形態において、印刷設定の「ステープル」、「パンチ」、「シフト」、「ウォーターマーク」、「ブックレット印刷」などの項目を一式として、特徴キーワードと対応付けている。しかしながら、印刷設定対応付け手段２８ｃは、印刷設定と、特徴キーワードとをどのように対応付けても良い。例えば、印刷設定対応付け手段２８ｃは、印刷設定の項目毎に特徴キーワードを対応付けても良い。例えば、印刷設定対応付け手段２８ｃが印刷設定の項目毎に特徴キーワードを対応付ける場合、ＭＦＰ２０は、特徴キーワード「提案資料」を有するドキュメント３４ａが印刷設定「ステープル」有りで印刷された場合の回数と、特徴キーワード「提案資料」を有するドキュメント３４ａが印刷設定「ステープル」無しで印刷された場合の回数とを印刷設定データベース２７ｂに蓄積し、特徴キーワード「提案資料」を有するドキュメント３４ａを印刷する場合に、印刷設定データベース２７ｂに基づいて印刷設定「ステープル」の有無を決定しても良い。
【００６３】
本発明の画像形成装置は、本実施の形態においてＭＦＰであるが、プリンター専用機、コピー専用機、ファックス専用機など、ＭＦＰ以外の画像形成装置であっても良い。
【符号の説明】
【００６４】
１０  画像形成システム
２０  ＭＦＰ（画像形成装置、コンピューター）
２７ａ  印刷制御プログラム
２８ａ  印刷設定実行手段
２８ｂ  印刷設定受付手段
２８ｃ  印刷設定対応付け手段
２８ｄ  印刷設定蓄積手段
３４ａ  ドキュメント
３４ｃ  メタ情報
【図１】
2016005877.tif 000003
【図２】
2016005877.tif 000004
【図３】
2016005877.tif 000005
【図４】
2016005877.tif 000006
【図５】
2016005877.tif 000007
【図６】
2016005877.tif 000008